(57)【要約】【課題】容易な仕組みで盗難、紛失時等に個人情報を保護する情報端末装置を提供する。【解決手段】所有者の個人情報を記憶する個人情報記憶手段１７ａと、装置本体外部からの個人情報の読取要求の発生を検出する読取要求検出手段１１ａと、該検出に応じて個人情報記憶手段１７ａから個人情報を読み取る個人情報読取手段１１ｂと、該読み取った個人情報を参照させるために出力する個人情報出力手段１１ｃと、を備える情報端末装置において、個人情報記憶手段１７ａの個人情報を保護する保護状態若しくは保護しない非保護状態を示す保護情報を記憶する保護情報記憶手段１７ｂと、所有者の指示に応じて保護情報記憶手段１７ｂの保護情報を変更する変更手段１１ｄと、をさらに備え、個人情報読取手段１１ｂは、読取要求検出手段１１ａによる読取要求の検出時における保護情報記憶手段１７ｂの保護情報が保護状態を示しているときは個人情報の読み取りを禁止する。【選択図】図１
2005340984.tif 000002
【特許請求の範囲】
【請求項１】
予め定められた所有者の個人情報を記憶する個人情報記憶手段と、装置本体外部からの前記個人情報の読取要求の発生を検出する読取要求検出手段と、該読取要求検出手段による読取要求の検出に応じて前記個人情報記憶手段から個人情報を読み取る個人情報読取手段と、該個人情報読取手段が読み取った個人情報を参照させるために出力する個人情報出力手段と、を備える情報端末装置において、
前記個人情報記憶手段が記憶している個人情報を保護する保護状態若しくは保護しない非保護状態を示す保護情報を記憶する保護情報記憶手段と、
前記所有者の指示に応じて前記保護情報記憶手段が記憶している保護情報を変更する変更手段と、
をさらに備え、
前記個人情報読取手段は、前記読取要求検出手段による読取要求の検出に応じて前記保護情報記憶手段が記憶している保護情報を参照し、該保護情報が保護状態を示しているときは前記個人情報の読み取りを禁止するようにした
ことを特徴とする情報端末装置。
【請求項２】
前記所有者に予め定められた各種要求を指示させる操作部の操作を無効とする無効状態においても、前記装置本体外部から前記読取要求が入力される入力手段をさらに備え、
前記読取要求検出手段は、前記入力手段からの入力に基づいて前記読取要求の発生を検出する
ことを特徴とする請求項１に記載の情報端末装置。
【請求項３】
前記所有者を識別するための識別情報を記憶する識別情報記憶手段と、
他の通信機器との間で信号の送受信を行う送受信手段と、
前記送受信手段が受信する受信信号の中から前記識別情報記憶手段が記憶している識別情報を検索する検索手段と、
前記検索手段が識別情報を探し出したときに前記所有者からの受信であると判定する所有者判定手段と、
をさらに備え、
前記変更手段は、前記所有者判定手段が所有者からの受信であると判定すると、当該所有者からの指示に基づいて前記変更を行う
ことを特徴とする請求項１又は２に記載の情報端末装置。
【請求項４】
前記装置本体外部からの前記個人情報の削除若しくは変更に応じた前記個人情報記憶手段に対する書込要求の発生を検出する書込要求検出手段と、
前記書込要求検出手段による書込要求の検出に応じて前記保護情報記憶手段が記憶している保護情報を参照し、該保護情報が非保護状態であるときのみ前記書込要求に応じた前記個人情報記憶手段に対する書き込みの制御を行う書込制御手段と、
をさらに備えることを特とする請求項１〜３の何れかに記載の情報端末装置。
【発明の詳細な説明】
【技術分野】
【０００１】
本発明は、情報端末装置に関し、より詳細には、内蔵する記憶媒体に記憶している所有者に関する個人情報を外部からの要求に応じて出力する機能を備える、例えば携帯電話機、ＰＨＳ（personal handyphone system）、ＰＤＡ（personal digital assistance）等の情報端末装置に関するものである。
【背景技術】
【０００２】
携帯電話機の利用者数は急増しており、その性能も年々高性能化している。そして、携帯電話機が内蔵する記憶媒体の記憶容量も大きくなっており、各種様々な情報を記憶しておくことが可能な構成となっている。そして、携帯電話機は、その所有者に関する個人情報を記憶していることから、個人情報等の漏洩対策としては、従来より様々な提案がなされている。例えば、単純操作によるキー操作無効機能、パスワード情報入力による表示制限機能等を携帯電話機は備えている。
【０００３】
また、携帯電話機の紛失時、盗難時等が発生した際に、個人情報の漏洩を防止する携帯電話機としては、基地局を介して送られてくる着信信号に含まれる発呼者電話番号とメモリに予めロック処理用電話番号として登録された電話番号とを比較し、一致する場合に、記憶している個人情報の漏洩を防止するためにロック処理を行う技術思想が開示されている（特許文献１参照）。
【０００４】
さらには、パーソナル・コンピュータ等の後位機器から携帯電話機の内部に記憶しているメモリダイヤルやアプリケーション・プログラム等の各種データを読み出し、それらのデータを後位機器の記憶装置等にバックアップとして記憶しておく技術思想が知られている。
【０００５】
携帯電話機のアプリケーション・プログラム（以下アプリケーションとも言う）のバックアップ方法は、バックアップ用端末装置に携帯電話機で使用するアプリケーション及び当該携帯電話機を識別するためのＩＤ情報を保存し、アプリケーションを携帯電話機にバックアップするときはＩＤ情報を比較し、両方のＩＤ情報が一致したときのみアプリケーションをデータコピーすることで、携帯電話機の使用者以外の人がアプリケーションを不正にコピーすることを防止している（特許文献２参照）。
【０００６】
また、携帯電話機は、組み込み機器用のＯＳ（operating system）を搭載しており、より詳細には、ファイルシステムやネットワークシステムをミドルウェアとして提供するリアルタイムＯＳ（以下、ＲＴＯＳ）を搭載している。そして、ミドルウェアを利用する複数のアプリケーションがＲＴＯＳの上位プログラムとして組み込まれている。
【０００７】
例えば、携帯電話機の表示部に「待ち受け画面」が表示された状態で、携帯電話機の入力部を構成する特定のキーが一定時間押下されると、入力部とＲＴＯＳをつなぐドライバがその押下に応じたイベント（要求）を発生させ、該イベントがＲＴＯＳを介して対応するアプリケーションに渡されることで、実行されるアプリケーションは「待ち受け画面」の表示を制御するアプリケーションからイベントに対応するアプリケーションに切り替えられる。
【特許文献１】特開２０００−１５１７９８号公報
【特許文献２】特開２００２−１８５５７９号公報
【発明の開示】
【発明が解決しようとする課題】
【０００８】
上述したように携帯電話機にロック機能を備えさせることで、携帯電話機の記憶媒体に記憶している個人情報の漏洩の防止を図ってはいるが、ロック処理中における携帯電話機においては、そのキー操作が不能であり、また、バックアップ用後位機器からの読み出し要求は、ＲＴＯＳによって直接個人情報を読み出す読出アプリケーションに渡されてしまうことから、ロック処理中にもかかわらず、個人情報が読み出されてしまうという問題があった。
【０００９】
そこで、ロック処理中においては読出アプリケーションの起動を禁止することも考えられるが、ロック処理中に外部から読み出し要求を受けると、その要求が所有者本人によるものか、第三者によるものかを携帯電話機では判断することができないことから、有効な個人情報の漏洩防止にはならなかった。このような問題は、携帯電話機の他にも、ＰＨＳ、ＰＤＡ等の情報端末装置に共通して発生する問題である。
【００１０】
また、携帯電話機においては、各アプリケーションがメモリ等の記憶媒体に対するアクセスを制御しているが、携帯電話機に搭載されるプロセッサの処理性能が高くないため、通常のパーソナル・コンピュータのＯＳのように、記憶領域を自由自在にアクセスしていると、ＲＴＯＳのプログラムが複雑かつ大きくなってしまい、該ＲＴＯＳが動作することで、携帯電話機におけるパフォーマンスが低下してしまうという問題がある。
【００１１】
また、記憶領域に頻繁にアクセスすると、その記憶領域を管理するためにプロセッサの余分な仕事が発生してしまい、より多くの電力を消費してしまうことから、利用時間を長くするという携帯電話機の永遠の課題を解消するには、ＲＴＯＳによる記憶領域へのアクセスを減少させ、アプリケーションが直接記憶領域にアクセスすることで、省電力化を図る必要があった。
【００１２】
さらに、近年では携帯電話機に電子マネー機能を備えさせるなどその利用分野の拡大が検討されており、携帯電話機に内蔵する記憶される個人情報は重要なものであり、その漏洩を確実に防止したいとのニーズが高まっている。
【００１３】
よって本発明は、上述した問題点に鑑み、容易な仕組みで盗難、紛失時等に個人情報を保護する情報端末装置を提供することを課題としている。
【課題を解決するための手段】
【００１４】
上記課題を解決するため本発明によりなされた請求項１記載の情報端末装置は、図１の基本構成図に示すように、予め定められた所有者の個人情報を記憶する個人情報記憶手段１７ａと、装置本体外部からの前記個人情報の読取要求の発生を検出する読取要求検出手段１１ａと、該読取要求検出手段１１ａによる読取要求の検出に応じて前記個人情報記憶手段１７ａから個人情報を読み取る個人情報読取手段１１ｂと、該個人情報読取手段１１ｂが読み取った個人情報を参照させるために出力する個人情報出力手段１１ｃと、を備える情報端末装置において、前記個人情報記憶手段１７ａが記憶している個人情報を保護する保護状態若しくは保護しない非保護状態を示す保護情報を記憶する保護情報記憶手段１７ｂと、前記所有者の指示に応じて前記保護情報記憶手段１７ｂが記憶している保護情報を変更する変更手段１１ｄと、をさらに備え、前記個人情報読取手段１１ｂは、前記読取要求検出手段１１ａによる読取要求の検出に応じて前記保護情報記憶手段１７ｂが記憶している保護情報を参照し、該保護情報が保護状態を示しているときは前記個人情報の読み取りを禁止するようにしたことを特徴とする。
【００１５】
上記請求項１に記載した本発明の情報端末装置によれば、個人データ、アドレス帳データ、画像データ、通信履歴データ等を有する個人情報は個人情報記憶手段１７ａに記憶される。そして、個人情報を保護する場合、認証している所有者からの指示に応じて、保護情報記憶手段１７ｂが記憶している保護情報が保護状態を示すように変更手段１１ｄによって変更される。この状態で読取要求検出手段１１ａによって読取要求が検出されると、個人情報読取手段１１ｂによって保護情報記憶手段１７ｂが記憶している保護情報が参照され、該保護情報が保護状態を示していることから、個人情報の読取が禁止される。また、所有者からの指示に応じて変更手段１１ｄによって保護情報記憶手段１７ｂが記憶している保護情報が非保護状態を示すように変更される。そして、この状態で読取要求検出手段１１ａによって読取要求が検出されると、個人情報読取手段１１ｂによって保護情報記憶手段１７ｂが記憶している保護情報が参照され、該保護情報が非保護状態を示していることから、個人情報記憶手段１７ａから個人情報が読み取られ、該個人情報は所有者等に参照させるために、例えば、内蔵する表示装置、情報端末装置に着脱自在に装着された記録媒体、情報端末装置に接続される外部機器等に出力される。
【００１６】
上記課題を解決するためになされた請求項２記載の発明は、図１の基本構成図に示すように、請求項１に記載の情報端末装置において、前記所有者に予め定められた各種要求を指示させる操作部の操作を無効とする無効状態においても、前記装置本体外部から前記読取要求が入力される入力手段１９をさらに備え、前記読取要求検出手段１１ａは、前記入力手段１９からの入力に基づいて前記読取要求の発生を検出することを特徴とする。
【００１７】
上記請求項２に記載した本発明の情報端末装置によれば、操作部の操作が無効のときに入力手段１９を介して装置本体外部から読取要求が入力され、該入力に応じて読取要求の発生が読取要求検出手段１１ａによって検出されると、個人情報読取手段１１ｂによって保護情報記憶手段１７ｂが記憶している保護情報が参照され、該保護情報が保護状態を示していると、個人情報の読取が禁止される。
【００１８】
上記課題を解決するためになされた請求項３記載の発明は、図１の基本構成図に示すように、請求項１又は２に記載の情報端末装置において、前記所有者を識別するための識別情報を記憶する識別情報記憶手段１７ｃと、他の通信機器との間で信号の送受信を行う送受信手段１６と、前記送受信手段１６が受信する受信信号の中から前記識別情報記憶手段１７ｃが記憶している識別情報を検索する検索手段１７ｅと、前記検索手段１７ｅが識別情報を探し出したときに前記所有者からの受信であると判定する所有者判定手段１７ｆと、をさらに備え、前記変更手段１１ｄは、前記所有者判定手段１７ｆが所有者からの受信であると判定すると、当該所有者からの指示に基づいて前記変更を行うことを特徴とする。
【００１９】
上記請求項３に記載した本発明の情報端末装置によれば、所有者を識別するための例えば暗証番号、アドレス等の識別情報は識別情報記憶手段１７ｃに記憶される。そして、送受信手段１６によって他の通信機器から信号が受信されると、その受信信号の中から識別情報記憶手段１７ｃが記憶している識別情報が検索手段１７ｅによって検索される。そして、この検索によって識別情報が探し出されると、所有者からの受信であると所有者判定手段１７ｆによって判定され、その所有者からの指示に基づいて保護情報記憶手段１７ｂが記憶している保護情報が変更手段１１ｄによって変更される。
【００２０】
上記課題を解決するためになされた請求項４記載の発明は、図１の基本構成図に示すように、請求項１〜３の何れかに記載の情報端末装置において、前記装置本体外部からの前記個人情報の削除若しくは変更に応じた前記個人情報記憶手段１７ａに対する書込要求の発生を検出する書込要求検出手段１１ｇと、前記書込要求検出手段１１ｇによる書込要求の検出に応じて前記保護情報記憶手段１７ｂが記憶している保護情報を参照し、該保護情報が非保護状態であるときのみ前記書込要求に応じた前記個人情報記憶手段１７ａに対する書き込みの制御を行う書込制御手段１１ｈと、をさらに備えることを特徴とする。
【００２１】
上記請求項４に記載した本発明の情報端末装置によれば、書込要求検出手段１１ｇによって書込要求が検出されると、書込制御手段１１ｈによって保護情報記憶手段１７ｂが記憶している保護情報が参照され、該保護情報が保護状態を示していると、個人情報記憶手段１７ａに対する書き込みは禁止され、また、保護情報が非保護状態を示していると、書込要求に応じた個人情報記憶手段１７ａに対する書き込みが行われる。
【発明の効果】
【００２２】
以上説明したように請求項１に記載した本発明の情報端末装置によれば、個人情報を保護するか否かを示す保護情報を記憶しておき、該保護情報を情報端末装置の所有者の指示に応じて変更し、該保護情報が保護状態を示しているときに、読取要求を受けても個人情報の読み取りを禁止するようにしたことから、保護情報を保護状態に設定しておくことで、情報端末装置の紛失、盗難、盗み見等が発生しても、第三者によって個人情報が読み出されることを防止することができる。また、このような個人情報の保護機能を、組み込み機器用のオペレーティング・システムのミドルウェアとして提供することで、その上位プログラムであるアプリケーションプログラムはその機能を組み込むだけで、個人情報を確実に保護することができる。従って、情報端末装置から第三者に個人情報が漏洩することを防止することができるため、情報端末装置の利用分野の拡大に貢献することができる。
【００２３】
請求項２に記載の発明によれば、請求項１に記載の発明の効果に加え、所有者に予め定められた各種要求を指示させる操作を無効とする無効状態において、装置本体外部からの読取要求の発生を検出し、保護情報が保護状態を示しているときは、個人情報の読み取りを禁止するようにしたことから、情報端末装置における操作部の無効状態にもかかわらず、バックアップ用に個人情報を情報端末装置からダウンロードする等の外部機器からの読取要求に応じて個人情報を読み取ることはできないため、個人情報の漏洩をより一層確実に防止することができる。
【００２４】
請求項３に記載の発明によれば、請求項１又は２に記載の発明の効果に加え、他の通信機器から情報端末装置に対して識別情報を有する信号を送信させ、その信号に基づいて所有者からの通信であるか否かを判定し、所有者からの通信である場合に所有者の指示に基づいて保護情報を変更するようにしたことから、保護情報が非保護状態のときに情報端末装置の紛失、盗難等に遭遇しても、その情報端末装置に他の通信機器からアクセスして保護情報が保護状態を示すように変更することができるため、個人情報の漏洩をより一層確実に防止することができる。
【００２５】
請求項４に記載の発明によれば、請求項１〜３の何れかに記載の発明の効果に加え、装置本体外部からの書込要求を検出すると、保護情報が非保護状態を示しているときは、個人情報記憶手段に対する書き込みを書込要求に基づいて行い、また、保護情報が保護状態を示しているときは、個人情報記憶手段に対する書き込みを行わないようにしたことから、保護情報を保護状態に設定しておくことで、情報端末装置の紛失、盗難、盗み見等が発生しても、第三者によって個人情報が変更されたり、削除されてしまうことを防止することができるため、個人情報を確実に保護することができる。
【発明を実施するための最良の形態】
【００２６】
以下、本発明に係る情報端末装置を携帯電話機に適用する場合の最良の形態の一例を、図２〜図７の図面を参照して説明する。
【００２７】
ここで、図２は本発明に係る情報端末装置を用いた情報端末管理システムの一例を示すシステム構成図であり、図３は図２の携帯電話機の概略構成の一例を示す構成図であり、図４は図３の制御部の概略構成の一例を示すブロック図であり、図５は図２の携帯電話機と通信装置の動作の一例を説明するための図であり、図６は図４のアプリケーション（読取／書込制御）の状態遷移の一例を示す状態遷移図であり、図７は図３の制御部が実行する読取／書込処理の一例を示すフローチャートである。
【００２８】
情報端末管理システムは、図２に示すように、利用者が携帯する周知である携帯電話機（情報端末装置）１と、利用者が携帯電話機１の紛失時、置き忘れ時等にアクセスする、例えば電話機、ファクシミリ通信装置等の通信装置２と、を備える。そして、携帯電話機１と通信装置２とは、周知であるように、交換機Ｐ及び基地局Ｂを介して通信を行う。
【００２９】
携帯電話機１は、図３に示すように、制御部１１、ＲＡＭ（random access memory）１２，入力部１３、表示部１４、音声処理部１５、無線通信部１６、記憶部１７、リーダ／ライタ（Ｒ／Ｗ）部１８、接続端子１９、を備えて構成している。そして、制御部１１に対してその他の各部を接続し、データの入力若しくは出力の少なくとも一方が可能な構成となっている。
【００３０】
制御部１１は、内蔵するＲＯＭ（read only memory）等に記憶している予め定められたプログラムに従って動作するマイクロ・プロセッサが用いられ、装置本体外部からの要求に応じて発生するイベントに対応するアプリケーションプログラムを実行する。そして、ＲＡＭ１２は、各種のデータを格納するとともに、制御部１１の処理作業に必要なエリアを有する読み出し書き込み自在のメモリである。
【００３１】
また、制御部１１のＲＯＭ（図示せず）には、請求項中の読取要求検出手段、個人情報読取手段、個人情報出力手段、変更手段、検索手段、所有者判定手段、書込要求検出手段、及び、書込手段等として制御部１１（コンピュータ）を機能させるための各種プログラムを記憶している。
【００３２】
入力部１３は、電源の投入、アプリケーションプログラムの選択及び実行等を所有者に指示させる各種操作キーを備え、押下された操作キーに応じた指示内容を示す入力信号を制御部１１に出力する。そして、表示部１４は、液晶表示装置等が用いられ、制御部１１から入力される表示データを表示する。
【００３３】
音声出力部１５は、変換器、増幅器等を備えて構成している。この音声処理部１５は、通話時に、制御部１１から入力される音声データを変換器でアナログ信号に変換し、増幅器を介してスピーカ１５ｂから出力し、また、マイク１５ａから入力される音声信号を変換器にて無線通信可能なデジタル信号に変換して制御部１１に出力する。そして、制御部１１は、そのデジタル信号を無線通信部１６から通信先に送信させる。
【００３４】
無線通信部１６は、請求項中の送受信手段に相当し、基地局Ｂからの無線信号を受信するアンテナ１６ａと、該アンテナ１６ａを介して受信した無線信号の復調その他無線通信に必要な各種処理を行う無線部（図示せず）と、を備え、制御部１１から入力されるデジタル信号を通信先に送信すると共に、受信した無線信号を制御部１１に出力する。
【００３５】
記憶部１７は、ＥＥＰＲＯＭ（electrically erasable and programmable ROM）等の不揮発性の半導体メモリが用いられ、制御部１１が各種処理を実行するのに必要な各種情報が記憶される。そして、本最良の形態では、記憶部１７が特許請求の範囲に記載の個人情報記憶手段、保護情報記憶手段、及び、識別情報記憶手段として機能していることから、識別情報、個人情報、保護情報等を記憶している。
【００３６】
ここで、識別情報は、所有者によって予め登録された暗証番号、携帯電話機を紛失した際に所有者が使用する電話機の電話番番号等を有して構成している。個人情報は、携帯電話機に登録される所有者に関する個人データ、メモリダイヤルデータ、画像データ等を有して構成している。
【００３７】
保護情報は、個人情報の保護を行うか否かを示すフラグデータを有して構成しており、該フラグデータは保護状態若しくは非保護状態を示す。この保護情報によって個人情報の保護を行うか否かを設定することで、記憶部１７からの個人情報の読み取り、記憶部１７への書き込み等を禁止している。なお、保護情報については、読み取りのみを禁止する、書き込みのみを禁止するなど保護状態を詳細に設定するように構成することもできる。
【００３８】
リーダ／ライタ（Ｒ／Ｗ）部１８は、携帯電話機１に装着される着脱自在のメモリカードＣに対するデータの書き込み／読み込みを、制御部１１からの指示に応じて行う。そして、メモリカードＣには、保存するデータ等が記憶され、このメモリカードＣを介してパーソナル・コンピュータ等の外部機器に転送される。
【００３９】
接続端子１９は、請求項中の入力手段に相当し、バックアップ用パーソナル・コンピュータ（ＰＣ）、携帯用キーボード等の後位機器と携帯電話機１とケーブルを介して接続するための後位インターフェース規定点（レセプタクル）であり、周知であるコネクタ等が用いられる。そして、この接続端子１９には、後位機器に接続されるケーブルのプラグ５１が接続され、制御部１１からの指示されたデータを後位機器に出力すると共に、後位機器から入力されるデータを制御部１１に出力する。なお、入力手段については、上述した入力部１３で実現するなど種々異なる形態とすることができる。
【００４０】
上述した構成における携帯電話機１の制御部１１は、図４に示すように、組み込み機器用のリアルタイムＯＳ（以下、ＲＴＯＳ）１１０と、該ＲＴＯＳ１１０が提供するミドルウェアを利用する上位プログラムである複数のアプリケーションプログラム（以下、アプリケーション）１１Ａ〜１１Ｎと、入力部１３、表示部１４、…、Ｒ／Ｗ部１８、接続端子１９にそれぞれ対応するドライバ１１４〜１１９と、を備える。
【００４１】
なお、本最良の形態では、アプリケーション１１Ａが待ち受け制御、アプリケーション１１Ｂが通信制御、…、アプリケーション１１Ｎが読取／書込制御の場合について説明する。例えば、入力部１３で通信に関するキー操作によって要求が入力されると、ドライバ１１３は該要求に対応するイベントを生成してＲＴＯＳ１１０に出力する。そして、ＲＴＯＳ１１０は、ドライバ１１３から入力されたイベントは、該イベントに対応するアプリケーション１１Ｂに渡される、つまり、アプリケーション１１Ｂを実行させる。このようにＲＴＯＳ１１０は、ドライバ１１３〜１１９から入力されるイベント（要求）に対応するアプリケーション１１Ａ〜１１Ｎの実行の制御を行う。
【００４２】
接続端子１９に接続されるドライバ１１９は、請求項中の読取要求検出手段に相当し、接続端子１９を介して後位機器５から入力される読取要求を検出すると、該読取要求に応じたイベントを生成してＲＴＯＳ１１０に出力する。そして、ＲＴＯＳ１１０はそのイベントの入力に応じて読取／書込制御を行うアプリケーション１１Ｎを起動させる。なお、読取要求検出手段を、ＲＴＯＳ１１０で実現するようにしても差し支えない。
【００４３】
また、携帯電話機１は、周知であるように、所定操作により入力部１３の操作を無効とするロック機能を備えており、該ロック処理中は、ドライバ１１で発生した各種イベントは、ロック処理を制御するアプリケーションによって無視される。
【００４４】
次に、携帯電話機１の紛失、盗難等が発生した際に、通信装置２によって上述した保護情報を変更を行う場合について説明する。
【００４５】
通信装置２は、予め定められた所定操作等によって発呼要求が発生すると（Ｓ２１１）、通信装置２の電話番号の最後に例えば、暗証番号等の特定情報を付加して携帯電話機１に対して発呼する（Ｓ２１２）。なお、本最良の形態では、特定情報を付加して発呼する場合について説明するが、携帯電話機１との通信が確立した後に、前記特定情報を送信させるなど種々異なる形態とすることができる。
【００４６】
また、携帯電話機１は、アンテナ１６ａにて無線信号を受信し、その無線信号が制御部１１に入力されて着呼を受け付けると（Ｓ１１１）、制御部１１はその無線信号の中から記憶部１７に記憶している識別情報を検索し、該検索結果に基づいて所有者の認証（判定）を行う（Ｓ１１２：検索手段、所有者判定手段）。
【００４７】
識別情報と一致する特定情報を探し出せなかった場合は、所有者からのアクセスではないと認証し（Ｓ１１２でＮ）、ステップＳ１１５に進む。なお、このときに通信装置２に対して着呼を拒否する信号を送信し、通信装置２で着呼拒否を通知するような形態とすることもできる。
【００４８】
また、識別情報と一致する特定情報を探し出した場合は、所有者からのアクセスであると認証し（Ｓ１１２でＹ）、制御部１１は記憶部１７の保護情報のフラグデータを保護状態に設定し（Ｓ１２２：変更手段）、その後ステップＳ１１５に進む。
【００４９】
ステップＳ１１５において、無線通信部１６は切断処理を行うことで、携帯電話機１と通信装置２との間に確立していた通信を切断し、着呼時の処理を終了することで、待ち受け状態となる。また、通信装置２は、通信断を受け付けると処理を終了する。
【００５０】
次に、上述した読取／書込制御を行うアプリケーション１１Ｎの状態遷移の一例を、図６の状態遷移図を参照して以下に説明する。
【００５１】
入力部１３により個人情報の読み取り／書き込みの機能を有するアプリケーションの実行指示情報が入力されると、ドライバ１１３はその入力に対応するイベント（要求）を生成してＲＴＯＳ１１０に出力する。そして、ＲＴＯＳ１１０は入力されたイベントに対応するアプリケーション１１Ｎを読み出して起動させる。
【００５２】
アプリケーション１１Ｎは、起動されると記憶部１１に対する読み取り／書き込みの要求を待つ実行可能状態ＳＴ１０となる。そして、実行可能状態ＳＴ１０において、読取／書込要求を受け、記憶部１７の保護情報が非保護状態を示している場合は、読取／書込状態ＳＴ２０に遷移し、記憶部１１に対して読み取り／書き込みを行い、処理が終了すると、実行可能状態ＳＴ１０に遷移して読み取り／書き込みの要求待ちを再開する。
【００５３】
また、実行可能状態ＳＴ１０において、上述したように記憶部１７の保護情報が保護状態に設定されると、個人情報の読み取り、変更を禁止する保護状態ＳＴ３０に遷移する。そして、該保護状態ＳＴ３０において、読取／書込要求を受けた場合は、それらの要求は無視されて個人情報は保護される。そして、該保護状態ＳＴ３０において、記憶部１７に記憶している保護情報に非保護状態に変更されると、実行可能状態ＳＴ１０に遷移して読み取り／書き込みの要求待ちを再開する。
【００５４】
実行可能状態ＳＴ１０、読取／書込状態ＳＴ２０、保護状態ＳＴ３０において、ＲＴＯＳ１１０から終了要求を受けると、アプリケーション１１Ｎは処理を終了する。なお、保護状態ＳＴ３０については、保護状態であることを表示部１４、音声処理部１５を用いて通知するような形態とすれば、第三者に個人情報の読み取り等ができないことを確実に認識させることができる。
【００５５】
次に、アプリケーション１１Ｎの起動によって制御部１１によって実行される読取／書込処理の一例を、図７のフローチャートを参照して以下に説明する。
【００５６】
制御部１１によって読取／書込処理が実行されると、ステップＳ１１において、記憶部１７に記憶している保護情報が読み取られてＲＡＭ１２に記憶され、ステップＳ１２において、該保護情報に基づいて保護状態であるか否かが判定される。
【００５７】
保護情報が保護状態を示していると判定された場合は（Ｓ１２でＹ）、ステップＳ１３において、保護状態であることを読取／書込の要求元に通知する処理が行われ、その後処理を終了する。この処理によって、例えば、後位機器５から読出要求を受けている場合は、接続端子１９を介して保護状態中、読取エラー等の情報が後位機器５に出力される。また、入力部１３の操作等によって読取／書込要求を受けた場合は、携帯電話機１の表示部１４に保護中表示画面等を表示させる形態とすることもできる。さらに、何も処理を行わずに終了するなど携帯電話機１の仕様等に応じて種々異なる形態とすることができる。
【００５８】
また、保護情報が保護状態ではない、つまり、非保護状態であると判定された場合は（Ｓ１２でＮ）、ステップＳ１４において、利用者、後位機器５等からの要求が読取要求であるか否かが判定される。読取要求である場合は（Ｓ１４でＹ）、ステップＳ１５（個人情報読取手段）において、記憶部１７に記憶している個人情報の一部若しくは全てが読み取られ、ステップＳ１６（個人情報出力手段）において、表示部１４に表示させる場合は表示部１４に表示を指示して出力され、また、後位機器５に転送する場合は接続端子１９に転送を指示して出力され、その後処理を終了する。
【００５９】
また、ステップＳ１４で読取要求ではない、つまり、書込要求である場合は（Ｓ１４でＮ）、ステップＳ１７（書込手段）において、指示された書込要求に基づいて、個人情報の変更、削除等を行うために記憶部１７に対するデータの書き込みが行われ、その後処理を終了する。
【００６０】
次に、上述した構成の本発明に係る携帯電話機１の動作（作用）の一例について説明する。
【００６１】
所有者は、携帯電話機１を購入すると、記憶部１７に登録した個人情報を記憶させると共に、所有者及び所有者が利用する通信装置２を識別する識別情報を記憶させる。そして、携帯電話機１の紛失、盗難等が発生すると、所有者の操作に応じて通信装置２は携帯電話機１にアクセスする。そして、携帯電話機１は、所有者からのアクセスであることを認証すると、記憶部１７に記憶している保護情報を保護状態となるように変更し、携帯電話機１における待ち受け状態から保護状態に遷移する。なお、表示部１４に保護状態を第三者等に認識させる表示を行うようにしても差し支えない。
【００６２】
その後、第三者によって後位機器５に接続しているプラグ５１が携帯電話機１の接続端子１９に接続され、後位機器５に記憶しているバックアップ用アプリケーションソフトウェア等の実行によってから読取要求が携帯電話機１に出力されると、携帯電話機１において接続端子１９に対応するドライバ１１９によって読取要求が検出され、該読取要求に対応するイベントがＲＴＯＳ１１０に出力され、該ＲＴＯＳ１１０によって個人情報の読み取り／書き込みの機能を有するアプリケーション１１Ｎが実行される。
【００６３】
携帯電話機１１は、記憶部１７の保護情報が保護状態を示していることから、後位機器５に個人情報の保護中により読み取りエラーを示すエラー情報が、接続端子１９を介して後位機器５に出力する。そして、後位機器５は、入力されたエラー情報を第三者に対して表示、警告等によって通知することで、第三者に個人情報の取り取りができないことを認識させる。
【００６４】
さらに、携帯電話機１の個人情報の保護状態中に、後位機器５から書込要求が入力されると、上述した読取要求で説明したように、携帯電話機１１は書込要求に入力に応じて前記通知情報を後位機器５に出力する。そして、後位機器５は、入力された通知情報を第三者に通知することで、個人情報の変更、削除もできないことを認識させる。なお、入力部１３のキー操作によって個人情報の表示が要求されても、上述したようにアプリケーション１１Ｎによって読み取りが禁止され、表示部１４にその旨が表示される。
【００６５】
また、入力部１３のキー操作を不能とするロック状態の携帯電話機１においても、上述したように携帯電話機１の紛失、盗難等の発生に応じて通信装置２からのアクセスに応じて保護状態に変更されると、キー操作が不能なロック状態に加え、外部からのアクセス等による個人情報の読み取り／書き込みから保護するロック保護状態に遷移する。
【００６６】
この状態においても携帯電話機１は、上述したように後位機器５から読み取り要求が入力されると、記憶部１７の保護情報が保護状態を示していることから、後位機器５に前記エラー情報が接続端子１９を介して後位機器５に出力され、後位機器５によって第三者に携帯電話機１が保護状態であることを認識させる。よって、携帯電話機１はロック状態でもあることから、入力部１３のキー操作が不能であり、第三者に対して完全に使用不能な状態になる。
【００６７】
以上説明したように本発明の携帯電話機（情報端末装置）１によれば、個人情報を保護するか否かを示す保護情報を記憶部１７に記憶しておき、該保護情報を携帯電話機１の所有者の指示に応じて変更し、該保護情報が保護状態を示しているときに、読取要求を受けても個人情報の読み取りを禁止するようにしたことから、保護情報を保護状態に設定しておくことで、携帯電話機１の紛失、盗難、盗み見等が発生しても、第三者によって個人情報が読み出されることを防止することができる。また、このような個人情報の保護機能を、組み込み機器用のＲＴＯＳのミドルウェアとして提供することで、その上位プログラムであるアプリケーションプログラムはその機能を組み込むだけで、個人情報を確実に保護することができる。従って、携帯電話機１から第三者に個人情報が漏洩することを防止することができるため、その利用分野の拡大に貢献することができる。
【００６８】
また、所有者に予め定められた各種要求を指示させる入力部（操作部）１３の操作を無効とする無効状態において、装置本体外部からの読取要求の発生を検出し、保護情報が保護状態を示しているときは、個人情報の読み取りを禁止するようにしたことから、携帯電話機１における入力部１３の無効状態にもかかわらず、バックアップ用に個人情報を携帯電話機１からダウンロードする等の後位機器（外部機器）５からの読取要求に応じて個人情報を読み取ることはできないため、個人情報の漏洩をより一層確実に防止することができる。
【００６９】
さらに、他の通信装置（機器）２から携帯電話機１に対して特定情報（識別情報）を有する信号を送信させ、その信号に基づいて所有者からの通信であるか否かを判定し、所有者からの通信である場合に所有者の指示に基づいて保護情報を変更するようにしたことから、保護情報が非保護状態のときに携帯電話機１の紛失、盗難等に遭遇しても、その携帯電話機１に他の通信装置２からアクセスして保護情報が保護状態を示すように変更することができるため、個人情報の漏洩をより一層確実に防止することができる。
【００７０】
また、装置本体外部からの書込要求を検出すると、保護情報が非保護状態を示しているときは、記憶部（個人情報記憶手段）１７に対する書き込みを書込要求に基づいて行い、また、保護情報が保護状態を示しているときは、記憶部１７に対する書き込みを行わないようにしたことから、保護情報を保護状態に設定しておくことで、携帯電話機１の紛失、盗難、盗み見等が発生しても、第三者によって個人情報が変更されたり、削除されてしまうことを防止することができるため、個人情報を確実に保護することができる。
【００７１】
なお、上述した本最良の形態では、アプリケーション１１Ｎの実行によって保護情報を参照して保護状態であるか否かを判定する場合について説明したが、本発明はこれに限定するものではなく、種々異なる形態とすることができる。例えば、個人情報の保護機能をＲＴＯＳ１１０で実現する場合は、保護状態のときはアプリケーションを起動させずに保護中であることを直接通知させたり、ダミーのアプリケーションを起動さて保護中を通知させる。また、ドライバ１１３〜１１９で実現させる場合は、イベントを発生させることなく、記憶部１７を参照して保護中であることを直接通知させる。
【００７２】
また、上述した最良の形態では、メモリカードＣに対するＲ／Ｗ部１８による個人情報の書き込みにも適用することもできる。例えば、入力部１３によってメモリカードＣへの個人情報の書き込みが指示されると、ドライバ１１４は、カード書込要求に応じたイベントはＲＴＯＳ１１０に出力する。そして、ＲＴＯＳ１１０はアプリケーション１１Ｎを起動させ、上述したように保護情報が保護状態を示していると、記憶部１７の個人情報の読み取りを禁止し、保護状態であることを第三者に対して通知する。
【００７３】
さらに、携帯電話機１１の盗み見を防止するためには、記憶部１７に記憶している保護情報を常時保護状態とし、所有者が個人情報の読み取りの際に非保護状態に変更することで、個人情報の漏洩を確実に防止することができる。
【図面の簡単な説明】
【００７４】
【図１】本発明に係る情報端末装置の基本構成を示す構成図である。
【図２】本発明に係る情報端末装置を用いた情報端末管理システムの一例を示すシステム構成図である。
【図３】図２の携帯電話機の概略構成の一例を示す構成図である。
【図４】図３の制御部の概略構成の一例を示すブロック図である。
【図５】図２の携帯電話機と通信装置の動作の一例を説明するための図である。
【図６】図４のアプリケーション（読取／書込制御）の状態遷移の一例を示す状態遷移図である。
【図７】図３の制御部が実行する読取／書込処理の一例を示すフローチャートである。
【符号の説明】
【００７５】
１    携帯電話機（情報端末装置）
２    通信装置
１１ａ    読取要求検出手段（制御部）
１１ｂ    個人情報読取手段（制御部）
１１ｃ    個人情報出力手段（制御部）
１１ｄ    変更手段（制御部）
１１ｅ    検索手段（制御部）
１１ｆ    所有者判定手段（制御部）
１１ｇ    書込要求検出手段（制御部）
１１ｈ    書込手段（制御部）
１７ａ    個人情報記憶手段（記憶部）
１７ｂ    保護情報記憶手段（記憶部）
１７ｃ    識別情報記憶手段（記憶部）
【図１】
2005340984.tif 000003
【図２】
2005340984.tif 000004
【図３】
2005340984.tif 000005
【図４】
2005340984.tif 000006
【図５】
2005340984.tif 000007
【図６】
2005340984.tif 000008
【図７】
2005340984.tif 000009